(57)【特許請求の範囲】
【請求項１】
監視デバイスを収納する装置であって、
制御回路を収納する第１中空内部領域を画定し、空調素子からの調整された空気を受けるために前記空調素子と連通するように構成され、前記第１中空内部領域に温度制御された環境を生成する第１ハウジングと、
前記監視デバイスを収納する第２中空内部領域を画定する第２ハウジングであって、当該第２ハウジングが前記第１ハウジングに結合される、第２ハウジングと、
前記第２中空内部領域と前記第１中空内部領域とを連通する連絡通路と、
前記第１中空内部領域と前記第２中空内部領域との間で空気を循環させ、前記第２中空内部領域に温度制御された環境を生成する循環手段と、
前記第２中空内部領域を前記第１中空内部領域と連通させ、前記第１中空内部領域と前記第２中空内部領域との間で前記連絡通路を通って延在する空気収容ダクトと、
を備え、
前記循環手段が、前記第１中空内部領域から前記第２中空内部領域まで前記空気収容ダクトと前記空気収容ダクトの外部にある前記連絡通路との一方を通って空気を循環させ、前記第２中空内部領域から前記第１中空内部領域まで前記空気収容ダクトと前記空気収容ダクトの外部にある前記連絡通路との他方のものを通って空気を帰還させるために位置され、
主支持プラットフォームが、前記第１ハウジングが前記主支持プラットフォームに取り付けられかつ前記主支持プラットフォームの上方に位置する状態で、かつ、前記第２ハウジングが前記第１ハウジングの下方にかつ前記主支持プラットフォームの下方に位置する状態で、前記第１ハウジングを支持するために設けられ、
前記主支持プラットフォームが、支持素子に取り付けるように構成されていることを特徴とする装置。
【請求項２】
結合手段が、前記第２ハウジングを前記第１ハウジングに結合するために設けられており、
前記結合手段が、前記連絡通路を画定することを特徴とする請求項１に記載の装置。
【請求項３】
前記循環手段が、前記空気収容ダクトに位置することを特徴とする請求項１または２に記載の装置。
【請求項４】
前記循環手段が、給電式のファンを備えることを特徴とする請求項１から３のいずれか１項に記載の装置。
【請求項５】
前記第１ハウジングが、空調ユニットを収容する主チャンバを画定し、
前記主チャンバが、前記第１中空内部領域が前記空調ユニットからの調整された空気を受けるために前記空調ユニットに連通しかつ調整される空気を前記空調ユニットに帰還させるために前記第１及び前記第２中空内部領域に連通する状態で、前記空調ユニットを受けるように構成され、
前記連絡通路及び前記空調ユニットが、閉鎖系を形成することを特徴とする請求項１から４のいずれか１項に記載の装置。
【請求項６】
前記空気収容ダクトが、前記第１中空内部領域を通って延在し、前記主チャンバに隣接して終端することを特徴とする請求項５に記載の装置。
【請求項７】
前記空気収容ダクトが、前記第１中空内部領域でほぼ水平に延在し、前記第２中空内部領域へ下方に延在することを特徴とする請求項６に記載の装置。
【請求項８】
中央隔壁素子が、前記第２ハウジングの前記第２中空内部領域に位置し、中央第１チャンバと前記中央第１チャンバの周囲に延在する外側チャンバとを形成し、
前記外側チャンバが、前記中央第１チャンバとの間で空気を収容するために前記中央第１チャンバと連通することを特徴とする請求項７に記載の装置。
【請求項９】
少なくとも２つの径方向隔壁素子が、前記第２ハウジングの前記第２中空内部領域に位置し、前記中央隔壁素子から延在し、前記外側チャンバを少なくとも２つの外側第２チャンバに分割することを特徴とする請求項８に記載の装置。
【請求項１０】
前記中央第１チャンバが、前記空気収容ダクトと前記空気収容ダクトの外部にある前記連絡通路との一方と連通し、
前記外側第２チャンバそれぞれが、前記空気収容ダクトと前記空気収容ダクトの外部にある前記連絡通路との他方と連通することを特徴とする請求項９に記載の装置。
【請求項１１】
前記空気収容ダクトの下方に延在する部分が、前記中央第１チャンバで終端することを特徴とする請求項８から１０のいずれか１項に記載の装置。
【請求項１２】
電気回路支持プラットフォームが、遠隔にある中央観察ステーションに中継するために前記監視デバイスからのデータを処理するデータ処理回路を支持するために、前記第１ハウジングの前記第１中空内部領域に位置し、
前記電気回路支持プラットフォームが、前記データ処理回路から前記中央観察ステーションまでデータを送信する送信機を収容するように構成されていることを特徴とする請求項１から１１のいずれか１項に記載の装置。
【請求項１３】
前記電気回路支持プラットフォームが、観察デバイスのうちの少なくとも１つの動作を制御するための前記中央観察ステーションからの信号を受信するために、当該電気回路支持プラットフォームに無線送受信機を取り付けるように構成されていることを特徴とする請求項１２に記載の装置。
【請求項１４】
細長い支持ポールと、
前記支持ポールに取り付けられる請求項１から１３のいずれか１項に記載の装置と、
を備えることを特徴とする監視ユニット。
【発明の詳細な説明】
【技術分野】
【０００１】
本発明は、監視デバイスを収納する装置に関し、また、本発明は、装置を備える監視ユニットに関する。特に、本発明は、このような装置と、建物の敷地、土地の周囲、パイプラインなどを観察するのに適したタイプの監視ユニットと、に関するが、本発明は、このような装置及び監視ユニットに限定されない。
【背景技術】
【０００２】
建物の敷地、土地の周囲、数百キロメートルにわたって砂漠の地面の上方に延在する油送管のようなパイプラインの監視を実行する監視装置が知られており、一般的に、デジタルカメラが取り付けられたポールを備える。１以上の直立するポールには、一般的に、その頂部に取り付けられたプラットフォームが設けられており、１以上のデジタルカメラは、プラットフォームから直立して延在するまたはそこから下方に垂下する取付ブラケットに取り付けられている。一般的には、サーボモータは、それぞれの垂直軸回りでカメラを回転させるために、及びそれぞれの水平軸回りでカメラを傾けるために設けられている。このようなカメラ配置は、カメラ機能を制御するため及びサーボモータを制御するための双方のために、制御回路を必要とする。カメラ機能を制御する制御回路は、主として、カメラのハウジング内に位置する一方で、サーボモータを制御する制御回路は、プラットフォームに取り付けられた別個のハウジング内に位置する。監視装置のこのような配置が苛酷な環境状態にさらされない領域に適している一方で、これらは、苛酷な環境状態、特に−１７℃のオーダーの極度な低温や＋４６℃のオーダーの極度な高温のような過酷な温度にさらされる領域に適していない。＋４６℃のオーダーの温度には、熱帯地方で、特にオイル及び他の液体並びに気体のためのパイプラインが一般的に地面上に配置されて数百キロメートルにわたって延在する砂漠地方で直面する。−１７℃のオーダーの温度には、北極地方及び南極地方の状態であって同様にオイル及び他の液体並びに気体のためのパイプラインが地面上に配置される状態で直面する。デジタルカメラ及びそれらのための制御回路並びにデジタルカメラの配向を制御する制御回路は、一般的に、１以上の型に形成された一体型回路を備えている。このような一体型回路及び型は、一般的に、限られた範囲の温度内でのみ動作可能であり、このため、上述したような温度のような非常に高温または非常に低温である温度の地域で動作するのに全く適していない。
【０００３】
さらに、このような従来知られているタイプの監視装置において、カメラ及び他の監視機器からのデータは、中央観察ステーションまで戻るように配線接続されることがある。装置が比較的大きな土地の周囲を監視する、長さが数百キロメートルのパイプラインを監視する、または国境または州境を観察する必要がある場合に、特に著しい費用が必要となる。
【発明の概要】
【発明が解決しようとする課題】
【０００４】
したがって、これら問題の少なくとも一部に対処する監視デバイスを収納する装置に対する必要性があり、また、同様に従来知られているデバイスの問題の少なくとも一部に対処する監視ユニットに対する必要性がある。
【０００５】
本発明は、このような装置及び監視ユニットを提供することを目的とする。
【課題を解決するための手段】
【０００６】
本発明において、監視デバイスを収納する装置が提供され、この装置は、制御回路を収納する第１中空内部領域を画定し、空調素子からの調整された空気を受けるために空調素子と連通するように構成され、第１中空内部領域に制御された環境を生成する第１ハウジングと、監視デバイスを収納する第２中空内部領域を画定する第２ハウジングであって、第２ハウジングが、第２中空内部領域及び第１中空内部領域が連絡通路を介して互いに連通する状態で第１中空内部領域に結合される、第２ハウジングと、第１中空内部領域と第２中空内部領域との間で連絡通路を通って延在する空気収容ダクトと、第１中空内部領域と第２中空内部領域との間で空気を循環させ、第２中空内部領域に制御された環境を生成する循環手段であって、循環手段が、第１中空内部領域から第２中空内部領域まで空気収容ダクトと空気収容ダクトの外部にある連絡通路との一方を通って空気を循環させ、第２中空内部領域から第１中空内部領域まで空気収容ダクトと空気収容ダクトの外部にある連絡通路との他方を通って空気を帰還させるために位置された、循環手段と、を備える。
【０００７】
好ましくは、中央隔壁素子は、第２ハウジングの第２中空内部領域に位置し、中央第１チャンバと中央第１チャンバの周囲に延在する外側チャンバとを形成し、外側チャンバは、中央第１チャンバとの間で空気を収容するために中央第１チャンバと連通する。
【０００８】
有利には、少なくとも２つの径方向隔壁素子は、第２ハウジングの第２中空内部領域に位置し、中央隔壁素子から延在し、外側チャンバを少なくとも２つの外側第２チャンバに分割する。理想的には、径方向隔壁素子が、中央隔壁素子の周囲において周方向で等間隔をあけている。好ましくは、少なくとも４つの径方向隔壁素子が、設けられており、外側チャンバを４つの外側第２チャンバに分割する。
【０００９】
本発明の一態様において、中央第１チャンバが、空気収容ダクトと空気収容ダクトの外部にある連絡通路との一方と連通し、外側第２チャンバそれぞれが、空気収容ダクトと空気収容ダクトの外部にある連絡通路との他方と連通する。好ましくは、中央第１チャンバが、空気収容ダクトと連通する。
【００１０】
本発明の別の態様において、外側第２チャンバそれぞれが、第１カメラによってもたらされる少なくとも１つの監視デバイスを収納するように構成されている。好ましくは、外側第２チャンバそれぞれが、少なくとも２つの第１カメラを収納するように構成されている。
【００１１】
本発明の一形態において、取付手段が、第１カメラそれぞれを対応する外側第２チャンバに取り付けるために設けられている。好ましくは、取付手段それぞれが、調節可能な取付手段である。有利には、取付手段それぞれが、対応する第１カメラをほぼ垂直面で方向付ける角度の調節を容易にする。
【００１２】
本発明の別の態様において、環状の取付ディスクが、第２ハウジングの第２中空内部領域に位置し、中央隔壁素子の周囲でかつ中央隔壁素子から外側チャンバ内へ延在し、外側チャンバを下側外側チャンバと上側外側チャンバとに分割し、外側第２チャンバが、径方向隔壁素子によって下側外側チャンバに形成され、第１カメラを外側第２チャンバに取り付ける取付手段が、取付ディスクに取り付けられている。好ましくは、取付ディスクが、外側第２チャンバと上側外側チャンバとの間で空気を収容するための複数の空気収容開口部を画定する。
【００１３】
有利には、第１カメラが、外側第２チャンバに設けられている。好ましくは、外側第２チャンバに位置する第１カメラそれぞれが、焦点可変レンズを備える。
【００１４】
本発明の別の態様において、外側第２チャンバに設けられた第１カメラそれぞれが、１／３型デイナイトＩＰカメラ(1/3 day/night internet protocol camera)である。
【００１５】
本発明のさらなる形態において、第２チャンバそれぞれが、赤外線熱検出器である監視デバイスを収納するように構成されている。好ましくは、赤外線熱検出器が、外側第２チャンバに設けられている。
【００１６】
本発明の別の形態において、中央第１チャンバが、第２カメラによってもたらされる監視デバイスを収容するように構成されている。好ましくは、第２カメラが、中央第１チャンバに位置する。有利には、中央第１チャンバに位置する第２カメラが、パン・チルト・ズームカメラである。
【００１７】
好ましくは、第２ハウジングが、第１ハウジングの下方に位置する。
【００１８】
本発明の一態様において、第２ハウジングが、第１ハウジングに結合される上側第２ハウジング素子と、上側第２ハウジング素子に密閉可能に固定される透明な材料からなる下側第２ハウジング素子と、を備える。好ましくは、下側第２ハウジング素子が、上側第２ハウジング素子に解放可能に固定されている。
【００１９】
好ましくは、ケーブル収容ダクトが、第２ハウジングと第１ハウジングとの間で延在し、第２中空内部領域と第１中空内部領域との間で電気ケーブルを収容するために第２中空内部領域を第１中空内部領域に連通させる。
【００２０】
本発明の別の形態において、第１ハウジングが、上側第１ハウジング素子と、上側第１ハウジング素子に密閉可能に固定される下側第１ハウジング素子と、を備える。好ましくは、下側第１ハウジング素子が、上側第１ハウジング素子に解放可能に固定されている。
【００２１】
本発明の別の形態において、ケーブル収容ダクトが、上側第２ハウジング素子と下側第１ハウジング素子との間で延在する。
【００２２】
好ましくは、上側第１ハウジング素子が、二重スキン構造からなる。
【００２３】
本発明のさらなる態様において、主支持プラットフォームが、第２ハウジングが第１ハウジングの下方に位置する状態で、第１ハウジングを支持するために設けられ、主支持プラットフォームが、支持素子に取り付けるように構成されている。好ましくは、主支持プラットフォームが、第１ハウジングと第２ハウジングとの間で主支持プラットフォームを通して延在する連絡通路を収容するように構成されている。有利には、主支持プラットフォームが、支持ポールによってもたらされる支持素子に取り付けるように構成されている。理想的には、主支持プラットフォームが、支持ポールの頂部に取り付けるように構成されている。
【００２４】
本発明の一態様において、主支持プラットフォームが、支持素子を受ける取付ソケットを形成する。好ましくは、取付ソケットが、主支持プラットフォームから下方に延在し、取付スロット内へ上方に支持素子を収容するために、下方を向く開口部を画定する。
【００２５】
有利には、主支持プラットフォームが、支持ポールに取り付けられている。
【００２６】
本発明の一形態において、結合手段が、第２ハウジングを第１ハウジングに結合するために設けられており、結合手段が、連絡通路を画定する。好ましくは、主支持プラットフォームが、主支持プラットフォームを通して結合手段を収容するように構成されている。有利には、主支持プラットフォームが、主支持プラットフォームを通してケーブルダクトを収容するように構成されている。
【００２７】
本発明の別の態様において、第１ハウジングが、空調ユニットを収容する主チャンバを画定し、主チャンバが、第１中空内部領域が空調ユニットからの調整された空気を受けるために空調ユニットに連通しかつ調整される空気を空調ユニットに帰還させるために第１及び第２中空内部領域に連通する状態で、空調ユニットを受けるように構成され、連絡通路及び空調ユニットが、閉鎖系を形成する。
【００２８】
本発明の一形態において、空調ユニットが、主チャンバに位置する。
【００２９】
本発明の別の態様において、循環手段が、給電式のファンを備える。好ましくは、循環手段が、空気収容ダクトに位置する。
【００３０】
本発明の一形態において、空気収容ダクトが、第１中空内部領域を通って延在し、主チャンバに隣接して終端する。好ましくは、空気収容ダクトが、第１中空内部領域でほぼ水平に延在し、第２中空内部領域へ下方に延在する。有利には、空気収容ダクトの下方に延在する部分が、中央第１チャンバで終端する。
【００３１】
本発明のさらなる形態において、主支持プラットフォームに固定される取付ブラケットが、アンテナが取り付けられる柱部を支持する。
【００３２】
本発明のさらにさらなる形態において、電気回路支持プラットフォームが、遠隔にある中央観察ステーションに中継するために監視デバイスからのデータを処理するデータ処理回路を支持するために、第１ハウジングの第１中空内部領域に位置する。好ましくは、電気回路支持プラットフォームが、データ処理回路から中央観察ステーションまでデータを送信する送信機を収容するように構成されている。好ましくは、送信機が、無線送信機である。
【００３３】
有利には、電気回路支持プラットフォームが、観察デバイスのうちの少なくとも１つの動作を制御するための中央観察ステーションからの信号を受信するために、電気回路支持プラットフォームに無線送受信機を取り付けるように構成されている。
【００３４】
本発明の別の形態において、データ処理回路が、赤外線熱検出器それぞれから受信した信号を処理するように構成されている。
【００３５】
本発明の別の形態において、バックアップ電源が、監視デバイスに給電するために、第１ハウジングの第１中空内部領域に設けられている。好ましくは、バックアップ電源が、データ処理回路及び無線送受信機に給電するように構成されている。
【００３６】
また、本発明は、監視ユニットを提供し、この監視ユニットは、細長い支持ポールと、支持ポールに取り付けられる本発明における装置と、を備える。
【００３７】
好ましくは、装置が、支持ポールの頂部に隣接して支持ポールに取り付けられる。
【００３８】
本発明の利点は、多くある。本発明における装置の複数の重要な利点は、カメラのような監視デバイスが、第２ハウジングの第２中空内部領域に位置する場合に、温度制御された環境で維持され、このため、装置の外部環境から完全に隔離されることである。本発明におけるさらに重要な利点は、カメラで捕捉された画像データが無線送信によって遠隔にある中央観察ステーションに中継され、このため、カメラのような監視デバイスを中央観察ステーションまで配線接続する必要性を回避し、このため、装置の設置コストを著しく低減することである。
【００３９】
データ処理回路及び他の制御回路を第１中空内部領域にかつカメラを第２中空内部領域に配置することによって、本発明のさらなる利点は、制御回路で発生した熱をカメラから隔離し、このため、カメラへの影響が少なくなるまたはなくなる点で達成される。本発明のさらなる利点は、空調素子に帰還させる前に第２中空内部領域からの排気を第１中空内部領域に通過させるように空気循環手段及び空気収容ダクトを配置すると、第１中空内部領域にある制御回路で発生した熱が第２中空内部領域に帰還する前に空調素子を通って循環される空気から取り除かれる点で、達成される。
【００４０】
第１中空内部領域内に延在しかつ空調素子に隣接して終端する空気収容ダクトを設けることにより、空気収容ダクトを通って第１中空内部領域から第２中空内部領域まで空気を循環させると、第２中空内部領域に送達された空気が空調素子から直接引き込まれるので、複数の重要な利点をもたらす。
【００４１】
本発明は、添付の図面を参照しながら例としてのみ付与される以下の本発明の好ましい実施形態の説明からより明確に理解される。
【図面の簡単な説明】
【００４２】
【図１】本発明における監視ユニットを示す正面図である。
【図２】図１の監視ユニットを示す側面図である。
【図３】図１の監視ユニットを示す後端図である。
【図４】同様に図１の本発明における装置を示す横断側面図である。
【図５】図４の装置を示す拡大横断側面図である。
【図６】図４の装置を示す分解側面図である。
【図７】図１の監視ユニットの一部を示す側面図である。
【図８】図１の監視ユニットにおける図７の部分を示す下面図である。
【図９】図１の監視ユニットにおける図７の部分を示す正面図である。
【図１０】図１の監視ユニットにおける図７の部分の後端図である。
【図１１】図４の装置の一部を示す横断端面図である。
【図１２】図４の装置の別の部分を示す端面図である。
【図１３】図１の装置における図１１の部分の一部を示す側面図である。
【図１４】図１１の部分を示す後端面図である。
【図１５】図１３の部分を示す上面図である。
【図１６】図１３の部分を示す横断側面図である。
【図１７】図１３の部分を示す前端面図である。
【図１８】図４の装置の別の部分を示す横断側面図である。
【図１９】図４の装置における図１８の部分を示す上面図である。
【図２０】図４の装置の別の部分を示す側面図である。
【図２１】図４の装置における図２０の部分を示す上面図である。
【図２２】図４の装置における図２０の部分を示す横断側面図である。
【図２３】図４の装置の別の部分を示す上面図である。
【図２４】図４の装置の別の部分を示す上面図である。
【図２５】図４の装置における図２４の部分を示す横断側面図である。
【図２６】図４の装置における別の部分を示す横断側面図である。
【図２７】図４の装置の細部を示す側面図である。
【図２８】図４の装置における図２７の細部を示す端面図である。
【図２９】図４の装置の別の部分を示す上面図である。
【図３０】図４の装置の別の部分を示す側面図である。
【図３１】図４の装置における電気パネルを示す上面図である。
【発明を実施するための形態】
【００４３】
図面を参照すると、参照符号１で全体的に示された本発明における監視ユニットを示し、この監視ユニットは、建物の敷地、土地の周囲、パイプラインなどを観察する。監視ユニット１は、地面に取り付けられた直立支持ポール３を備え、この直立支持ポールには、本発明におけるかつ全体的に参照符号５で示された装置が温度制御された環境内で監視デバイスを収納するために取り付けられている。本発明のこの実施形態において、監視デバイスは、第１及び第２カメラ６及び７それぞれと、赤外線熱検出器８と、である。可変焦点レンズを有する１／３型デイナイトインターネットプロトコル（ＩＰ）カメラである８つの第１カメラ６が設けられ、パン・チルト・ズーム（ＰＴＺ）カメラである第２カメラ７が設けられている。
【００４４】
装置５は、第１中空内部領域１１を画定する第１ハウジング１０と、第２中空内部領域１５を画定する第２ハウジング１４と、を備える。第２ハウジング１４は、結合手段、すなわち第２ハウジング１４から第１ハウジング１０の第１中空内部領域１１内へ上方に延在する管状結合素子１７によって、第１ハウジング１０に結合されている。結合素子１７は、連絡通路１８を画定し、この連絡通路を通って、第１及び第２中空内部領域１１及び１５は、後述のように、第１及び第２中空内部領域１１及び１５間で空気の流動を収容するように連通する。第１中空内部領域１１、第２中空内部領域１５及び連絡通路１８は、共に気密チャンバ２０を形成する。
【００４５】
主支持プラットフォーム２１は、その頂部に隣接して支持ポール３に装置５を取り付ける。主支持プラットフォーム２１に取り付けられかつそこから下方に延在するソケット素子２２は、下方に向けて延在する孔部２３を画定し、この孔部は、孔部２３内に支持ポール３を係合するために下方を向く開口部２４で終端する。ソケット素子２２から主支持プラットフォーム２１まで延在するガセットプレート２７は、主支持プラットフォーム２１を補強する。主支持プラットフォーム２１の開口部２８は、それを通って第２ハウジング１４から第１ハウジング１０の第１中空内部領域１１内へ結合素子１７を収容する。
【００４６】
第１ハウジング１０は、空調素子、すなわち後述のように第１及び第２中空内部領域１１及び１５内の気温を制御する空調ユニット３１を収容する主チャンバ３０を画定する。主チャンバ３０は、第１中空内部領域１１と主チャンバ３０との間で空調ユニット３１へ及び空調ユニット３１から空気を収容するために第１中空内部領域１１と連通可能となっており、主チャンバ３０及び空調ユニット３１は、第１及び第２中空内部領域１１及び１５並びに結合素子１７によって形成された連絡通路１８と共に、完全に閉鎖した気密系を形成し、この気密系内では、空調ユニット３１によって調整された空気を循環し空調ユニット３１に帰還させる。
【００４７】
本発明のこの実施形態において、空調ユニット３１は、AKY9Uの型番で英国のハートフォードシャー州にある富士通ゼネラル（英国）によって販売されている空調ユニットである。空調ユニット３１は、加熱、冷却及び除湿機能を備え、外気温が−１７℃まで下降する及び＋４６℃の温度まで上昇する場合であっても１８℃から２５℃の範囲の温度で第１及び第２中空内部領域１１及び１５内の気温を制御するように動作可能である。空調ユニット３１は、熱交換器（図示略）と、内部組込式の高圧クロスファン（同様に図示略）と、を備え、この高圧クロスファンは、熱交換器を通って空気を循環させるための、及び熱交換器から第１中空内部領域１１まで調整した空気を送達させるための、及び中空内部領域１１から熱交換器まで廃棄を引き込むためのものである。空調ユニット３１は、それ自体の内部マイクロプロセッサによってマイクロプロセッサ制御されており、熱交換器の空気取込口及び熱交換器からの空気吹出口に隣接する温度センサ（図示略）は、第１及び第２中空内部領域１１及び１５内の温度を１８℃から２５℃の温度範囲内で維持するために、第１中空内部領域１１からの排気温度と第１中空内部領域１１への流動空気の温度とを観察する。空調ユニット３１のようなこのような空調ユニットは、当業者に公知であり、さらなる説明を必要としない。
【００４８】
ここで第１ハウジング１０に転じると、第１ハウジング１０は、プラスチック材料からなり、下側第１ハウジング素子、すなわちシングルスキン構造の下側第１シェル３４と、上側第１ハウジング素子、すなわちそれらの間に空洞部３６を画定する内側スキン３２及び外側スキン３３を有する二重スキン構造の上側第１シェル３５と、を備え、この空洞部には、図５に示すように、断熱プラスチック材料、すなわち発泡プラスチック材料が充填されている。下側及び上側第１シェル３４及び３５は、共に密閉可能に固定されており、第１中空内部領域１１及び主チャンバ３０を形成する。下側第１シェル３４は、ベース壁部３７、一対の間隔をあけた直立側壁部３８であってベース壁部３７から上方に延在する一対の直立側壁部と、間隔をあけた前及び後端壁部３９及び４０であってベース壁部３７から上方に延在して側壁部３８を結合する前及び後端壁部と、を備える。上側第１シェル３５は、頂壁部４２と、一対の間隔をあけて下方に延在する側壁部４３であって頂壁部４２から下方に延在する一対の側壁部と、間隔をあけた前及び後端壁部４４及び４５であって側壁部４３間で頂壁部４２から下方に延在する前及び後端壁部と、を備える。
【００４９】
下側フランジ部４７は、上側及び下側第１シェル３４及び３５を共に固定するために、下側第１シェル３４の側壁部３８と前及び後端壁部３９及び４０との周囲に延在する対応する上側フランジ部４８を係合するために、その底部に隣接して上側第１シェル３５の側壁部４３と前及び後端壁部４４及び４５との周囲に延在する。密閉ガスケット５０は、下側及び上側フランジ部４７及び４８間で上側及び下側第１シェル３４及び３５を密閉可能に固定するために、下側フランジ部４７及び上側フランジ部４８の間に位置する。ネジ（図示略）は、それらの間にある密閉ガスケット５０と共に下側及び上側フランジ部４７及び４８を共に固定する。
【００５０】
下側第１シェル３４の側壁部３８にある格子部４９と下側第１シェル３４の後端壁部４０にある格子部５１とは、そこから熱を移送するために、熱交換器の冷却ユニットの熱交換コイルを通る外気を収容する主チャンバ３０内の回廊部（図示略）と連通している。主チャンバ３０内の回廊部は、主チャンバ３０の残りの部分から完全に隔離されており、第１中空内部領域１１及び第２中空内部領域１５が主チャンバ３０の上記残りの部分と共に外部環境から隔離された完全に密閉された閉鎖ユニットを維持するために、第１中空内部領域１１と決して連通しない。
【００５１】
下側第１シェル３４のベース壁部３７は、ネジ（図示略）によって主支持プラットフォーム２１に固定されている。空調ユニット３１は、ネジロッド５３にある蝶ナット５２によって下側第１シェル３４のベース壁部３７に固定されており、このネジロッドは、下側第１シェル３４のベース壁部３７から上方に延在する。第１ハウジング１０内の側方に延在する壁部５５にある開口部５４は、空調ユニット３１が位置する主チャンバ３０を第１中空内部領域１１から離間しており、これらを調整するために空調ユニット３１からの流動空気及び空調ユニット３１からの排気を収容する。
【００５２】
金属材料からなる第１プラットフォーム５７は、一対の間隔をあけた第１側面支持部材５８によって、第１中空内部領域１１内の下側第１シェル３４のベース壁部３７の上方で離間している。中間電圧パネル５９は、第１プラットフォーム５７に支持されており、低電圧パネル６０への電力の供給を制御する回路を備え、この回路は、第２プラットフォーム６２に取り付けられている。第２プラットフォーム６２は、第２側面支持部材６３において第１プラットフォーム５７の上方で間隔をあけており、この第２側面支持部材は、第１側面支持部材５８から上方に延在する。
【００５３】
低電圧パネル６０は、データ処理及び制御回路を備えており、このデータ処理及び制御回路は、後述するように、第１及び第２カメラ６及び７の動作を制御し、そこからの画像データを読み込んで処理し、かつ赤外線熱検出器８からのデータを処理し、そして遠隔にある中央観察ステーションへ画像及び他のデータを中継するためのものである。支持ポール３を通って上方に延在する主電気ケーブル６５は、主支持プラットフォーム２１の開口部（図示略）及び下側第１シェル３４のベース壁部３７にある密閉ケーブル開口部６６を通って中間電圧パネル５９まで収容されている。主ケーブル６５は、第１中空内部領域１１の気密性を維持するために、ケーブル開口部６６内で密閉されている。
【００５４】
ここで第２ハウジング１４に転じると、第２ハウジング１４は、下側第２ハウジング素子、すなわち透光性のポリカーボネート材料からなる下側第２シェル６８を備えており、この下側第２シェルは、ベース壁部６９と、ベース壁部６９からかつベース壁部６９の周囲に上方に延在するシリンダ状の側壁部７０と、を有する。シリンダ状の側壁部７０は、丸み付部分７２を介してベース壁部６９に移行する。上側第２ハウジング素子、すなわちプラスチック材料からなるかつ切頭円錐形の上側第２シェル７３は、下側第２シェル６８に固定されており、第２中空内部領域１５を形成する。上側第２シェル７３は、内側スキン６４及び外側スキン６７を有する二重スキン構造からなり、これら内側スキン及び外側スキンは、それらの間に空洞部７１を形成し、この空洞部には、断熱発泡プラスチック材料が充填されている。下側第２シェル６８の側壁部７０の周囲に外方に延在する上側フランジ部７４は、上側第２シェル７３の下側周縁部７５と係合し、上側第２シェル７３の下側周縁部７５と下側第２シェル６８の上側フランジ部７４との間に位置する環状密閉ガスケット７６を用いてそこに固定されている。下側第２シェル６８の上側フランジ部７４と上側第２シェル７３の下側周縁部７５とは、下側周縁部７５と上側フランジ部７４とがバンド７７内で係合した状態で、横断面がＵ字状のバンド７７によって、それらの間にある密閉ガスケット７６を用いて共に固定されている。トグルチップ７８は、下側周縁部７５に隣接する上側第２シェル７３にかつ下側第２シェル６８の上側フランジ部７４に固定しかつクランプする。Ｕ字状のバンド７７の側方ウェブ７９は、角度が付けられており、トグルチップ７８を締結しているときに下側縁部７５と上側フランジ部７４とを共にクランプするために互いに対して外方に分岐している。
【００５５】
管状結合素子１７は、その下端部において外方に延在するフランジ部８１であって管部８０の周囲に延在しかつ下側第２シェル６８のベース壁部６９に固定されるフランジ部で終端するシリンダ状管部８０を備え、上側第２シェル７３の頂部開口部８２を通って上方に延在する。環状壁部８４は、上側第２シェル７３にある頂部開口部８２の周囲に延在し、密閉材料は、結合素子１７を頂部開口部８２に密閉可能に係合するために、環状壁部８４とシリンダ状管部８０との間に位置する。
【００５６】
その頂端部８６に向けて結合素子の周囲に外方に延在するが結合素子１７の頂端部８６から間隔をあけたフランジ部８５は、第２ハウジング１４を第１ハウジング１０にかつ主支持プラットフォーム２１に固定するために、第１ハウジング１０の下側第１シェル３４のベース壁部３７にかつ主支持プラットフォーム２１に固定されている。
【００５７】
第２ハウジング１４の第２中空内部領域１５において中央に位置する結合素子１７のシリンダ状管部８０は、第２中空内部領域１５を第２カメラ７が位置する中央に位置する中央第１チャンバ８７と、中央第１チャンバ８７の周囲で延在する環状の外側チャンバ８８と、に分割する。外方に延在する中間フランジ部９１は、結合素子１７のシリンダ状管部８０の周囲で外方に延在し、環状取付ディスク９３を支持し、この環状取付ディスクは、外側チャンバ８８を横断しかつ下側第２シェル６８の上側フランジ部７４と上側第２シェル７３の下側周縁部７５との間まで横断して延在する。取付ディスク９３は、外側チャンバ８８を下側外側チャンバ９２と上側外側チャンバ８３とに分割する。
【００５８】
４つの隔壁素子、すなわち不透明なプラスチック材料からなる４つの隔壁部８９は、取付ディスク９３と下側第２シェル６８のベース壁部６９との間で下側外側チャンバ９２を横断するように結合素子１７のシリンダ状管部８０から径方向に延在し、結合素子１７の周囲で周方向等間隔であり、下側外側チャンバ９２を４つの外側第２チャンバ９０に分割し、この外側第２チャンバ内には、後述するように第１カメラ６及び赤外線熱検出器８が位置する。
【００５９】
複数の取付開口部９４は、対応する第１カメラ６を支持する取付ディスク９３から下方に垂下する取付ブラケット９５それぞれを支持するために、取付ディスク９３に形成されている。２つの取付ブラケット９５は、２つの対応する第１カメラ６を支持するためにそれぞれ外側第２チャンバ９０に位置する。取付ブラケット９５それぞれは、Ｕ字状構造をなしており、取付ディスク９３に固定するクロス部材９６と、一対の間隔をあけて下方に延在する側方部材９７であってその両端部それぞれでクロス部材９６から下方に延在する一対の側方部材と、を備える。支持ブラケット９８は、取付プレート１００と、一対の間隔をあけた側方取付部材９９であって取付プレート１００から下方に延在する一対の側方取付部材と、を有し、ネジ１０１によって側方部材９７に回動可能に支持されており、このネジは、支持ブラケット９８を回動させる共通水平回動軸１０２を画定する。取付ブラケット９５それぞれの取付プレート１００は、第１カメラ６の対応する１つを支持しており、第１カメラ６は、対応する第１カメラの回動軸１０２回りの角度方向を設定するために、ほぼ垂直面において水平回動軸１０２回りで回動可能である。ネジ１０１のナット１０３は、支持ブラケット９８を対応する第１カメラを所望角度で固定する。取付ブラケット９５は、取付ブラケット９５を配向した状態で、取付開口部９４を通って取付プレート１１３のナット１１２内へネジ１０９によって取付ディスク９３に固定されており、第１カメラ６は、平面視で互いに４５°で方向付けられるように配置されている。すなわち、第１カメラ６は、中央垂直軸１０４回りで以下の角度、０°、４５°、９０°、１３５°、１８０°、２２５°、２７０°及び３１５°で結合素子１７によって画定される中央垂直軸１０４回りに延在する方向に方向付けられる。外側第２チャンバ９０それぞれにある第１カメラ６の一方は、第１カメラ６をほぼ水平に方向付けるために取り付けプレート１００が配向された状態で、対応する取付ブラケット９５に取り付けられている一方、外側第２チャンバ９０それぞれにある他方の第１カメラ６は、その取付プレート１００が配向されて第１カメラ６を水平に対して約４５°でほぼ外方かつ下方の方向で方向付けられた状態で、対応する取付ブラケット９５に取り付けられている。
【００６０】
ケーブル１０５は、第１カメラ６それぞれから延在し、対応する取付ブラケット９５に隣接する取付ディスク９３に取り付けられたピンコネクタソケット１０６で終端する。ピンコネクタプラグ１０８で終端するケーブル１０７は、対応するカメラ６を低電圧パネル６０に結合するために対応するソケット１０６と係合可能である。
【００６１】
上側第２シェル７３と下側第１シェル３４のベース壁部３７との間で延在するケーブル収容ダクト１１０は、ソケット１０６それぞれから第１中空内部領域１１内までケーブル１０７を収容する。ケーブル収容ダクト１１０は、第２中空内部領域１５を第１中空内部領域１１と連通させかつ第２中空内部領域１５内の第１カメラ６からの第１中空内部領域１１内の低電圧パネル６０までのケーブル１０７を収容するために、上側第２シェル７３に密閉可能に固定されており、主支持プラットフォーム２１の対応する開口部１１１を通って延在し、さらに、下側第１シェル３４のベース壁部３７に密閉可能に位置する。
【００６２】
赤外線熱検出器８は、外側第２チャンバ９０において取付ブラケット１３８に位置しており、この取付ブラケットは、取付ディスク９３から下方に延在しかつ取付ディスク９３に固定されている。赤外線熱検出器８から取付ディスク９３の開口部９４のうちの対応する開口部を通るケーブル（図示略）は、ケーブル収容ダクト１１０を通って第１中空内部領域１１内へ低電圧パネル６０まで収容されている。
【００６３】
ＰＴＺカメラ７である第２カメラ７は、第２中空内部領域１５において中央第１チャンバ８７内に位置する。下側第２シェル６８のベース壁部６９にある開口部１１４は、下側第２シェル６８のベース壁部６９を通ってＰＴＺカメラ７のハウジング１１５の一部を収容する。フランジ部１１６は、カメラ７のハウジング１１５が開口部１１４を通って外方に延在する状態で、中央第１チャンバ８７内にＰＴＺカメラ７を固定するために、ＰＴＺカメラ７のハウジング１１５からかつハウジング１１５の周囲で外方に延在する。ＰＴＺカメラ７の透明ドーム１１８は、フランジ部１１９によってハウジング１１５に固定されており、このフランジ部は、さらに、ベース壁部６９にかつＰＴＺカメラ７のハウジング１１５のフランジ部１１６に固定されている。ＰＴＺカメラ７のレンズ（図示略）は、透明ドーム１１８内に位置し、透明ドーム１１８の周囲で約３６０°走査するように角度的に移動可能である。
【００６４】
本発明のこの実施形態において、取付ディスク９３の下面は、４つの径方向に延在する隔壁部８９を光沢のない黒色で着色されているように、光沢のない黒色で塗布または別の方法で着色されている。取付ディスク９３と下側第２シェル６８のベース壁部６９との間で延在する結合素子１７のシリンダ状管部８０の部分の外面は、同様に、光沢のない黒色で塗布または着色されている。取付ディスク９３の下面、径方向に延在する隔壁部８９及びシリンダ状管部８０の外面を光沢のない黒色で着色することによって、赤外線熱検出器８のように第１カメラ６が同様に黒色であるので、第１カメラ６と外側第２チャンバ９０にある赤外線熱検出器８とを視認することまたは識別することが実質的に不可能になる。
【００６５】
空気収容ダクト１２０は、水平脚部１２１と、湾曲部１２３によって連結された垂直部１２２と、を備える。空気収容管部１２０の水平脚部１２１は、湾曲部１２３から第１中空内部領域１１を通って延在し、側壁部５５にある開口部５４に隣接する入口１２４で終端し、この側壁部は、第１中空内部領域１１を主チャンバ３０から離間させ、この主チャンバ内では、空調ユニット３１が空調ユニット３１からの調整された空気を受けるために位置している。空気収容ダクト１２０の垂直脚部１２２は、湾曲部１２３から結合素子１７によって画定される連絡通路１８を通って下方に延在し、中央第１チャンバ８７内への空気を収容する空気吹出口１２５で終端する。４つの周方向等間隔の空気収容チャネル１２９を画定する空気拡散素子１２８は、連絡通路１８に位置し、第２カメラ７の温度を所望の動作温度に維持するために、空気収容ダクト１２０の空気吹出口１２５から中央第１チャンバ８７内に調整された空気を方向付ける。同様に、空気拡散素子１２８の空気収容チャネル１２９は、後述するように、第１カメラ６及び赤外線熱検出器８の温度を同様に所望の動作温度に維持するために、空気収容ダクト１２０の空気吹出口１２５から４つの外側第２チャンバ９０内に調整された空気を方向付ける。
【００６６】
循環手段、すなわち給電式の空気循環ファン１３０は、空気取込口１２４から空気吹出口１２５まで空気収容ダクト１２０を通って空気を循環させるために、その両端部の中間にある空気収容ダクト１２０の垂直脚部１２２に位置している。
【００６７】
４つの連絡開口部１３３は、径方向隔壁部８９と下側第２シェル６８のベース壁部６９との間で結合素子１７のシリンダ状管部８０に位置し、取付ディスク９３は、空気拡散素子１２８の空気収容チャネル１２９から及び中央第１チャンバ８７から外側第２チャンバ９０のうちの対応する外側第２チャンバ内への空気を収容する。取付ディスク９３にある連絡開口部１３５は、外側第２チャンバ９０から上側外側チャンバ８３内への空気を収容する。結合素子１７のシリンダ状管部８０にある連絡開口部１３７は、上側外側チャンバ８３から空気収容ダクト１２０の外側から結合素子１７によって画定される連絡通路１８内への空気を収容し、これは、さらに、上側外側チャンバ８３から第１中空内部領域１１まで空気を帰還させる。
【００６８】
したがって、空気収容ダクト１２０のファン１３０は、空調ユニット３１からの調整された空気を空調ユニット３１に隣接する第１中空内部領域１１から第２中空内部領域１５の中央第１チャンバ８７まで、さらに外側第２チャンバ９０まで循環させ、この空気は、その後、連絡通路１８を通って第１中空内部領域１１まで上側外側チャンバ８３を通って帰還され、この空気は、さらに、ファン１３０によってさらに調整しかつ循環させるために空調ユニット３１に帰還される。
【００６９】
したがって、空調ユニット３１からの調整された空気は、空調ユニット３１が冷却するまたは加熱するために動作するかに応じて、場合によってはＰＴＺカメラ７を冷却または加熱し、そして、場合によっては外側第２チャンバ１９にある第１カメラ６及び赤外線熱検出器８を冷却または加熱し、そして、場合によっては加熱または冷却するために空調ユニット３１に空気を再び帰還させる前に、場合によっては中間電圧パネル５９及び低電圧パネル６０の構成部材を冷却するまたは加熱するために第１中空内部領域１１に帰還される。
【００７０】
主支持プラットフォーム２１から延在する取付ブラケット１４０は、取付ブラケット１４０から上方に延在する柱部１４２を支持する。無線アンテナ１４３は、監視ユニット１と遠隔にある中央観察ステーション（図示略）との間で信号を送受信するために柱部１４２に取り付けられている。柱部１４２に取り付けられているハウジング１４５は、そこに位置する雷バリアを備え、この雷バリアを介して、アンテナ１４３は、ケーブル１４６によって低電圧パネル６０に接続される。
【００７１】
柱部１４２から上方に延在する避雷針１４４は、雷を伝導し、この雷は、柱部１４２、取付ブラケット１４０、主支持プレート２１及び支持ポール３を通って地面に接地される。
【００７２】
低電圧パネルは、２つのバックアップ電源１５０を備え、この電源は、中間電圧パネル５９からの２２０ボルトの電力供給によって給電及び充電が維持されている。低電圧パネル６０に取り付けられた２つの制御ユニット１５２は、第１カメラ６及び第２カメラ７の動作を制御する。低電圧パネル６０にある無線送受信機１５３は、アンテナ１４３を介して遠隔にある中央観察ステーションに及び中央観察ステーションから無線信号を送受信する。第１及び第２カメラ６及び７の動作を制御するための遠隔にある観察ステーションによって送信された制御信号は、無線送受信機１５３によって受信され、制御ユニット１５２へ中継され、この制御ユニットは、制御信号を読み込み、遠隔にある中央観察ステーション（図示略）から受信した制御信号に応じて第１及び第２カメラ６及び７の動作を制御する。また、制御ユニット１５２は、データ処理回路を備え、このデータ処理回路は、カメラからの画像データを読み込み、アンテナ１４３を介して遠隔にある観察ステーションまで送信するために無線送受信機１５３まで画像データを中継する。また、赤外線熱検出器８からの信号は、制御ユニット１５２にあるデータ処理回路によって読み込まれ、無線送受信機１５３を介して遠隔にある中央観察ステーションまで中継される。
【００７３】
使用時において、主支持プラットフォーム２１によって支持ポール３に装置５を取り付けてアンテナを柱部１４２に固定した状態で、監視ユニット１は、使用の準備が整う。第１及び第２カメラ６及び７は、一般的に、連続的に給電されている。監視ユニット１が高温環境または冷温環境にあるかに応じて、空調ユニット３１は、適切に動作して加熱されたまたは冷却された調整された空気を生成し、この調整された空気は、その内部の高圧クロスファンによって第１中空内部領域１１内へ送達され、中空内部領域内の空気を１８℃から２５℃の範囲の温度で維持し、さらに、中間及び低電圧パネル５９及び６０にある構成部材を安全な動作温度で維持する。循環ファン１３０は、調整された空気を第１中空内部領域１１から空気収容ダクト１２０を通って第２中空内部領域１５内へ循環させ、調整された空気は、１８℃から２５℃の範囲内で第２中空内部領域１５の気温を維持し、さらに、第１及び第２カメラ６及び７と赤外線熱検出器８とを安全な動作温度範囲内で維持する。空気は、連絡通路１８を通って第２中空内部領域１５から第１中空内部領域１１まで帰還され、この第１中空内部領域から、空気は、さらに冷却または加熱するために、場合によっては空調ユニット３１の内部に位置する高圧クロスファンによって、空調ユニット３１に吸い込まれる。
【００７４】
監視ユニットの通常動作中において、遠隔にある中央観察ステーションにいるオペレータは、遠隔にある中央観察ステーションにおいて無線送信機（図示略）を介してカメラを調整及び動作させるための指示を送信し、この指示は、アンテナ１４３を介して無線送受信機１５３で受信される。中央観察ステーションから無線送受信機１５３で受信した信号は、制御ユニット１５２で読み込まれ、この制御ユニットは、その後、信号を処理してカメラを適切に動作させる。例えば、ＰＴＺカメラ７を制御する信号は、主として、監視ユニット１の位置の周囲で３６０°の範囲で走査するために、３６０°にわたってカメラを旋回させる。また、ＰＴＺカメラ７の焦点は、中央観察ステーションからの適切な信号によって調節可能である。また、第１カメラ６の焦点は、中央観察ステーションによって送信された信号によって制御可能かつ調節可能である。このため、異常な出来事を検出した中央観察ステーションにいるオペレータは、中央観察ステーションの送信機（図示略）を介して適切な制御信号を送信することによって、第１カメラ６のうちの適切な１つ以上の第１カメラの焦点を制御し、異常な出来事を検出した領域の調査を容易にする。さらに、ＰＴＺカメラ７のズームは、中央観察ステーションから適切な制御信号を送信することによって、異常な出来事をさらに調査するために、異常な出来事を検出した領域にズームするように調節される。
【００７５】
赤外線熱検出器８からの信号は、無線送受信機１５３によって送信され、中央観察ステーションで観察される。
【００７６】
実際には、想定されることは、建物の周囲の敷地を観察したい場合に、監視下にある領域全体の観察及び走査を容易にするために、適切な数の監視ユニット１を敷地に配置することである。あるいは、土地の周囲または国境もしくは州境を観察する場合に、複数の監視ユニット１を土地の周囲または国境もしくは州境に沿って間隔をあけた距離で位置し、監視ユニット１間の間隔は、監視ユニット１のうち隣接するものによって対象とされる領域間で若干重なりがあるようになっている。同様に、例えば数百キロメートルにわたって広がる砂漠の表面上に配置されたパイプラインなどのパイプラインを観察したい場合に、想定されることは、複数の監視ユニット１をパイプラインの位置に沿って間隔をあけた距離で位置し、監視ユニット１間の間隔は、監視ユニット１のうち隣接するものによって対象とされる領域間で若干重なりがあるようになっていることである。
【００７７】
本発明における監視ユニット１及び同様に本発明における装置５が特定のタイプの監視デバイス、すなわちＩＰカメラ６及びＰＴＺカメラ７並びに赤外線熱検出器８を収納するように説明されているが、想定されることは、監視ユニット及び装置が、他のタイプのカメラ、検出器及び実際には他のタイプの監視デバイスを収納するように構成されてもよいことである。同様に、当然ながら、本発明における監視ユニット１と遠隔にある中央観察ステーションとの間の通信が無線通信システムを介してなされるように説明されているが、他の適切な通信システムを使用してもよいことであり、ある場合において、想定されることは、監視ユニット１が遠隔にある中央観察ステーションまで戻るように配線接続されてもよいことである。
【００７８】
当然ながら、第２ハウジングが第１ハウジングの下方に位置するとして説明されるが、ある場合において、第２ハウジングが第１ハウジングの上方に位置してもよい。同様に、当然ながら、装置が支持ポールの頂部に取り付けられて説明されるが、本発明における装置５が支持ポールの任意の箇所に取り付けられた任意の適切な支持部に取り付けられても、ブラケットによって支持ポールの側部に取り付けられてもよい。同様に想定することは、本発明における装置５が適切なブラケットによって壁部または任意の適切な支持部に取り付けられてもよいことである。
【００７９】
同様に、想定することは、特に複数の監視ユニットがパイプラインに沿ってまたは国境もしくは州境に沿って間隔をあけた距離で位置する場合に、監視ユニットが携帯電話機の信号ブースタとして使用されてもよいことである。
【符号の説明】
【００８０】
１  監視ユニット、３  支持ポール，直立支持ポール、５  装置、６  第１カメラ，カメラ、７  第２カメラ，カメラ，ＰＴＺカメラ、８  赤外線熱検出器、１０  第１ハウジング、１１  第１中空内部領域，中空内部領域、１４  第２ハウジング、１５  第２中空内部領域，中空内部領域、１７  管状結合素子，結合素子、１８  連絡通路、１９  外側第２チャンバ、２０  気密チャンバ、２１  主支持プラットフォーム，主支持プレート、２２  ソケット素子、２３  孔部、２４  開口部、２７  ガセットプレート、２８  開口部、３０  主チャンバ、３１  空調ユニット、３２  内側スキン、３３  外側スキン、３４  下側第１シェル，シェル、３５  上側第１シェル，シェル、３６  空洞部、３７  ベース壁部、３８  側壁部、３８  直立側壁部、３９  前端壁部、４０  後端壁部、４２  頂壁部、４３  側壁部、４４  前端壁部、４５  後端壁部、４７  下側フランジ部、４８  上側フランジ部、４９  格子部、５０  密閉ガスケット、５１  格子部、５２  蝶ナット、５３  ネジロッド、５４  開口部、５５  側壁部、５５  壁部、５７  第１プラットフォーム、５８  第１側面支持部材、５９  中間電圧パネル、６０  低電圧パネル、６２  第２プラットフォーム、６３  第２側面支持部材、６４  内側スキン、６５  主ケーブル，主電気ケーブル、６６  ケーブル開口部，密閉ケーブル開口部、６７  外側スキン、６８  下側第２シェル、６９  ベース壁部、７０  側壁部、７１  空洞部、７２  丸み付部分、７３  上側第２シェル、７４  上側フランジ部、７５  下側縁部，下側周縁部、７６  環状密閉ガスケット，密閉ガスケット、７７  バンド、７８  トグルチップ、７９  側方ウェブ、８０  シリンダ状管部，管部、８１  フランジ部、８２  頂部開口部、８３  上側外側チャンバ、８４  環状壁部、８５  フランジ部、８６  頂端部、８７  中央第１チャンバ、８８  外側チャンバ、８９  隔壁部，径方向隔壁部、９０  外側第２チャンバ、９１  中間フランジ部、９２  下側外側チャンバ、９３  環状取付ディスク，取付ディスク、９４  開口部，取付開口部、９５  取付ブラケット、９６  クロス部材、９７  側方部材、９８  支持ブラケット、９９  側方取付部材、１００  プレート，取付プレート、１０１  ネジ、１０２  回動軸，水平回動軸，共通水平回動軸、１０３  ナット、１０４  中央垂直軸、１０５  ケーブル、１０６  ソケット，ピンコネクタソケット、１０７  ケーブル、１０８  ピンコネクタプラグ、１０９  ネジ、１１０  ケーブル収容ダクト、１１１  開口部、１１２  ナット、１１３  取付プレート、１１４  開口部、１１５  ハウジング、１１６  フランジ部、１１８  透明ドーム、１１９  フランジ部、１２０  空気収容ダクト，空気収容管部、１２１  水平脚部、１２２  垂直脚部、１２２  垂直部、１２３  湾曲部、１２４  空気取込口，入口、１２５  空気吹出口、１２８  空気拡散素子、１２９  空気収容チャネル、１３０  ファン，循環ファン，空気循環ファン、１３３  連絡開口部、１３５  連絡開口部、１３７  連絡開口部、１３８  取付ブラケット、１４０  取付ブラケット、１４２  柱部、１４３  アンテナ，無線アンテナ、１４４  避雷針、１４５  ハウジング、１４６  ケーブル、１５０  バックアップ電源、１５２  制御ユニット、１５３  無線送受信機
【図１】
0005699139.tif 000002
【図２】
0005699139.tif 000003
【図３】
0005699139.tif 000004
【図４】
0005699139.tif 000005
【図５】
0005699139.tif 000006
【図６】
0005699139.tif 000007
【図７】
0005699139.tif 000008
【図８】
0005699139.tif 000009
【図９】
0005699139.tif 000010
【図１０】
0005699139.tif 000011
【図１１】
0005699139.tif 000012
【図１２】
0005699139.tif 000013
【図１３】
0005699139.tif 000014
【図１４】
0005699139.tif 000015
【図１５】
0005699139.tif 000016
【図１６】
0005699139.tif 000017
【図１７】
0005699139.tif 000018
【図１８】
0005699139.tif 000019
【図１９】
0005699139.tif 000020
【図２０】
0005699139.tif 000021
【図２１】
0005699139.tif 000022
【図２２】
0005699139.tif 000023
【図２３】
0005699139.tif 000024
【図２４】
0005699139.tif 000025
【図２５】
0005699139.tif 000026
【図２６】
0005699139.tif 000027
【図２７】
0005699139.tif 000028
【図２８】
0005699139.tif 000029
【図２９】
0005699139.tif 000030
【図３０】
0005699139.tif 000031
【図３１】
0005699139.tif 000032